(57)【要約】【課題】従来のインソールは、足裏の特定部分に適した形状で構成されている場合や、特定の目的にのみ特化した素材で構成され、足裏の凹凸形状や、地面から受ける衝撃の大小、体重による負荷分布、疲労の程度などがそれぞれ異なる足裏の各部分にそれぞれ適したものであるようには構成されていない。【解決手段】上層と比較して相対的に硬い弾性材料を利用した第一層０１０１ａ、０１０１ｂ、０１０１ｃと、下層である第一層０１０１ａ、０１０１ｂ、０１０１ｃと比較して相対的に柔らかい弾性材料を利用した第二層０１０２ａ、０１０２ｂ、０１０２ｃと、からなり、第一層０１０１ａ、０１０１ｂ、０１０１ｃは、足裏の周縁部に対応する外縁部全周が足裏の央部に対応する足受部よりも高く構成されているインソールを提供する。【選択図】図１
2014028323.tif 000002
【特許請求の範囲】
【請求項１】
上層と比較して相対的に硬い弾性材料を利用した第一層と、
下層である第一層と比較して相対的に柔らかい弾性材料を利用した第二層と、
からなり、
第一層は、足裏の周縁部に対応する外縁部全周が足裏の央部に対応する足受部よりも高く
構成されているインソール。
【請求項２】
前記相対的に硬い材料と、前記相対的に柔らかい材料との組み合わせは、コルクゴムと発泡ゴムの組合せ、ウレタン樹脂とウレタン樹脂の組合せのいずれかである請求項１に記載のインソール。
【請求項３】
第一層は、足裏の央部に対応する足受部の全部または一部が開口となっている請求項１又は２に記載のインソール。
【請求項４】
第二層は、前記外縁部から前記足受部にかけて足に対する衝撃を緩和するように徐々に厚みが厚くなるように構成されている請求項１から３のいずれか一に記載のインソール。    
【請求項５】
第二層は、足裏のアーチに対応してアーチ凸部を構成するために相対的にその周辺部よりも厚く構成されている請求項１から４のいずれか一に記載のインソール。
【請求項６】
第二層の上層として更に通気性のあるスポンジを材料とした第三層を有する請求項１から５のいずれか一に記載のインソール。
【請求項７】
通気性のある素材からなる最上位層をさらに有する請求項１から６のいずれか一に記載のインソール。
【発明の詳細な説明】
【技術分野】
【０００１】
本発明は、多層構造からなり、各層の厚さを対応する足裏の各部分に合わせて調整した凹凸立体形状を有する靴のインソールに関する。
【背景技術】
【０００２】
従来より、歩行走行時の足への負担軽減や、快適な履き心地、足の骨格の理想的な形状保持、踵の横ぶれ防止等を目的とし、材料や形状、立体構造に特徴のある種々の靴用中底及び中敷（以下、ともに「インソール」とする）が提案されてきた。
【０００３】
例えば、足裏への衝撃を吸収することを目的として、クッション性を有するスポンジや弾性を有するゴムなどの素材からなるインソールがある。当該インソールは、足裏の踵や足裏ボール部など地面から受ける衝撃が非常に大きい部分において、その衝撃を和らげることを目的とする場合に適している。また、疲労軽減を目的として、足裏の３つのアーチ（いわゆる横アーチ、内側縦アーチ、外側縦アーチ）形状に対応させた凸部を有する立体形状からなるインソールがある。当該インソールは、足裏アーチの形状を保持し、かつ足裏への荷重を足裏全面に分散させ、疲労を軽減することを目的とする場合に適している。
【０００４】
しかし、これらのインソールは足裏の特定部分における特定の目的にのみ使用する場合は有効であるが、足裏の各部分でそれぞれに適した材料や形状、立体構造を決定し、その結果、足裏全体に適したものになるようには構成されていない。つまり、足裏の特定部分に適した形状で構成されている場合や、特定の目的にのみ特化した素材で構成されている場合は、そのような構成であるゆえに不都合が生じる場合もある。
【０００５】
例えば、上記衝撃吸収のために柔らかいクッション性を有する素材で構成されるインソールの場合、衝撃は緩和されても、柔らかいために踵が安定せず、踵が横ぶれしやすいという問題点が生じる。図１２に踵側から見た場合の、インソール（１２０２）上の踵（１２０１）の横ぶれの概念図を示す。かかる場合、足や足首、更には膝や腰まで過度の負担がかかり、踵痛、アキレス腱炎、膝痛、腰痛を引き起こす原因になる。また、柔らかい素材であるために、体重により負荷がかかりやすい部分の磨耗が他の部分より早く、インソール全体が変形する。
【０００６】
更に、柔らかい素材で構成され、かつ足裏アーチ形状に対応させた凸部を有する立体形状からなるインソールの場合、変形、磨耗により凸部を有する立体形状がかえって足へ悪影響を及ぼすことになる。図１３にその一例を示す。図１３の（ａ）は、凹凸立体形状を有するインソールが適切に足裏へ対応している図を示し、（ｂ）は、変形、磨耗したインソールが足裏へ対応している図を示す。なお、これらの図において足は横から見た図であり、インソールは、部分断面を示している。
【０００７】
図１３（ａ）に示すインソール（１３０１ａ）は、足裏の土踏まずに対応する部分（１３０２ａ）と、踵に対応する部分（１３０３ａ）が他の部分より厚くなるように構成されている。土踏まずに対応する部分は、足裏アーチ形状を保持するためであり、踵に対応する部分は歩行時に最初に着地する部分で着地時の踵のぐらつきを防ぎ、合わせて衝撃も吸収できるためである。そして、図１３（ａ）に示すように、インソールの凹凸立体形状が適切に足裏の各部分に対応している場合は、インソールが有する効果は最大限に発揮される。
【０００８】
図１３（ｂ）のインソール（１３０１ｂ）は、使用により、土踏まずに対応する部分（１３０２ｂ）の位置が移動し、また踵に対応する部分（１３０３ｂ）は潰れて厚みがほとんどなくなるなど、変形、磨耗したインソールを示す。このように変形、磨耗したインソールの使用を続けた場合、本来このインソールが有する効果を発揮しないばかりか、かえって足裏へ悪影響を及ぼす可能性もある。
【先行技術文献】
【特許文献】
【０００９】
【特許文献１】実開Ｈ０７−０３９５０７
【特許文献２】実開Ｈ０６−０７７５０６
【特許文献３】実開Ｈ０６−０８１３０５
【発明の概要】
【発明が解決しようとする課題】
【００１０】
そこで近年、相対的に硬い素材からなる下層と、相対的に柔らかい素材からなる上層を有する多層構造からなるインソールが開発されている。例えば、異なる素材を積層し、インソール全面を二層構造にしたものや（特許文献１、２）、下層は足裏のつま先側前部と踵側後部で異なる2種類の素材で構成され、上層は単一の素材で構成し、これらを二層構造にしたもの（特許文献３）などがある。これらのインソールは、衝撃吸収や快適な履き心地、疲労軽減、歩行安定性などの効果とともに、インソールの変形、磨耗を防止するとしている。
【００１１】
しかしながら、これらのインソールを構成する各層はいずれも均一な厚さのものであり、足裏の凹凸形状や、地面から受ける衝撃の大小、体重による負荷分布、疲労の程度などがそれぞれ異なる足裏の各部分にそれぞれ適した各層の厚み配分のものではなかった。したがって、足のある部分には適切な構成であっても、足の他の部分に対しては必ずしも適切な構成であるとはいえず、不安定感を与えたり、疲労感を与えるなどの問題が存在した。
【課題を解決するための手段】
【００１２】
そこで、上記課題を解決するため本発明は以下の構造を有する。
【００１３】
（１）本発明は、上層と比較して相対的に硬い弾性材料を利用した第一層と、下層である第一層と比較して相対的に柔らかい弾性材料を利用した第二層と、からなり、第一層は、足裏の周縁部に対応する外縁部全周が足裏の央部に対応する足受部よりも高く構成されているインソールを提供する。
【００１４】
（２）本発明は、前記相対的に硬い材料と、前記相対的に柔らかい材料との組み合わせは、コルクゴムと発泡ゴムの組合せ、ウレタン樹脂とウレタン樹脂の組合せのいずれかである上記（１）に記載のインソールを提供する。
【００１５】
（３）本発明は、第一層の足裏の央部に対応する足受部の全部または一部が開口となっている上記（１）又は（２）に記載のインソールを提供する。
【００１６】
（４）本発明は、第二層が、前記外縁部から前記足受部にかけて足に対する衝撃を緩和するように徐々に厚みが厚くなるように構成されている上記（１）から（３）のいずれか一に記載のインソールを提供する。
【００１７】
（５）本発明は、第二層が、足裏のアーチに対応してアーチ凸部を構成するために相対的にその周辺部よりも厚く構成されている上記（１）から（４）のいずれか一に記載のインソールを提供する。
【００１８】
（６）本発明は、第二層の上層として更に通気性のあるスポンジを材料とした第三層を有する上記（１）から（５）のいずれか一に記載のインソールを提供する。
【００１９】
（７）本発明は、通気性のある素材からなる最上位層をさらに有する上記（１）から（６）のいずれか一に記載のインソールを提供する。
【発明の効果】
【００２０】
本発明のインソールによれば、踵の横ぶれなどを防止し、歩行安定性を増すことが可能となる。
【図面の簡単な説明】
【００２１】
【図１】右足用の実施形態１の概念図
【図２】右足用の実施形態２の横断面図
【図３】右足・左足用の実施形態２の横断面図
【図４】右足用の実施形態２の横断面図
【図５】右足裏の３つのアーチを示す概念図
【図６】足裏から見たときの、右足骨格
【図７】右足用の実施形態２の概念図
【図８】右足用の実施形態２の概念図
【図９】右足用の実施形態２の概念図
【図１０】右足用の実施形態２のインソールを１ｃｍ間隔で切断した横断面図
【図１１】歩行時の右足の平均荷重分布
【図１２】踵の横ぶれを示す概念図
【図１３】従来技術に係るインソールの部分断面概念図
【発明を実施するための形態】
【００２２】
以下、本件発明の実施の形態について、添付図面を用いて説明する。なお、本件発明は、これら実施形態に何ら限定されるべきものではなく、その要旨を逸脱しない範囲において、種々なる態様で実施し得る。なお、実施形態１は主に請求項１及び２などに関して記載する。実施形態２は主に請求項３乃至５などに関して記載する。実施形態３は主に請求項６、７などに関して記載する。
<<実施形態１>>
<実施形態１：概要>
【００２３】
本実施形態は、上層と比較して相対的に硬い弾性材料を利用した第一層と、下層である第一層と比較して相対的に柔らかい弾性材料を利用した第二層と、からなり、第一層は、足裏の周縁部に対応する外縁部全周が足裏の央部に対応する足受部よりも高く構成されているインソールについて説明する。
【００２４】
また、前記相対的に硬い材料と、前記相対的に柔らかい材料との組み合わせは、コルクゴムと発泡ゴムの組合せ、ウレタン樹脂とウレタン樹脂の組合せのいずれかである上記（１）に記載のインソールについて説明する。
<実施形態１：構成>
【００２５】
図１に本実施形態の右足用の概念図を示す。（ａ）は斜視図、（ｂ）は（ａ）のＡ、Ａ´を結ぶ線の断面図（縦断面図）、（ｃ）は（ａ）のＢ、Ｂ´を結ぶ線の断面図（横断面図）を示す。以下、図７乃至図９において同様である。
【００２６】
本実施形態のインソールは、図１の下層を構成する第一層（０１０１ａ、０１０１ｂ、０１０１ｃ）と、上層を構成する第二層（０１０２ａ、０１０２ｂ、０１０２ｃ）からなる二層構造を有する。また、（ａ）から（ｃ）に示すとおり、第一層（０１０１ａ、０１０１ｂ、０１０１ｃ）は、足裏の周縁部に対応する外縁部全周（０１０３ａ、０１０３ｂ、０１０３ｃ）が足裏の央部に対応する足受部（０１０４ａ、０１０４ｂ、０１０４ｃ）よりも高く構成されている。
【００２７】
本発明の「インソール」とは、いわゆる中底と中敷のどちらも含む。本明細書において「中底」とは、完成品となる履物の一部品であり、履物の製作工程で組み付けられ取り外しができないものをいう。
【００２８】
対して本明細書において「中敷」とは、履物の製作工程で履物の一部品として取り付け可能なもの、又は完成品の履物に追加部品として後で取り付けられ、取り付け、取り外しが可能なものをいう。
【００２９】
つまり、本発明の「インソール」は「中底」として履物と一体として販売される場合もあれば、「中敷」として、履物に取り付けられた状態で、又は履物とは別個に販売される場合もある。
【００３０】
「第一層」（０１０１ａ、０１０１ｂ、０１０１ｃ）とは、上層と比較して相対的に硬い弾性材料を利用した層をいう。また、「第二層」（０１０２ａ、０１０２ｂ、０１０２ｃ）とは、下層である第一層と比較して相対的に柔らかい弾性材料を利用した層をいう。つまり、「第一層」が下層であり、「第二層」が上層である。ここで、「下層」とは、使用する状態で、より地面に近い層のことであり、「上層」とは、より足裏に近い層のことである。
【００３１】
第一層に利用される、上層と比較して相対的に硬い弾性材料には、例えば、ウレタンフォーム、非フォームのウレタン樹脂、シリコン樹脂、スチレン樹脂などが挙げられる。ジェル状である場合もあり得る。ウレタンフォームや非フォームのウレタン樹脂を利用する場合には、シリコン樹脂、スチレン樹脂などの樹脂や後述する発泡ゴムなどを利用する場合と比較して一般的には相対的に軽いので、履物を相対的に軽量とすることができる。第一層の硬度は、Ａ１９〜６５／S（ＪＩＳＫ６２５３準拠のタイプＡデュロメータで測定した場合の数値。以下、本明細書中で硬度を示す場合、同様である。）の範囲とすることが好ましい。この硬度範囲より小さいと柔らかすぎ、歩行安定性や保型性に欠ける。逆にこの硬度範囲より大きいと硬すぎ、クッション性に欠ける。
【００３２】
また、第二層に利用される、下層である第一層と比較して相対的に柔らかい弾性材料には、例えば、ウレタンフォーム、非フォームのウレタン樹脂、シリコン樹脂、スチレン樹脂などが挙げられる。ジェル状である場合もあり得る。ウレタンフォームや非フォームのウレタン樹脂を利用する場合には、シリコン樹脂、スチレン樹脂などの樹脂や後述する発泡ゴムなどを利用する場合と比較して一般的には相対的に軽いので、履物を相対的に軽量とすることができる。第一層と同じ材料を用いると、第一層と第二層を重ねて合体する製造工程にて、第一層と第二層とが密着しやすい。第二層の硬度は、Ａ１０〜４０／Ｓの範囲とすることが好ましい。この硬度範囲より小さいと歩行安定性や保型性に欠ける。逆にこの硬度範囲より大きいと硬すぎ、クッション性に欠ける。第一層と第二層との硬度差は平均値でＡ１０〜３０／Ｓ好ましくはＡ２０／Ｓ程度とするのが良い。これは、経験則上得られた数値である。
【００３３】
このように、第一層を第二層より硬い材料で構成し、逆に第二層は第一層より柔らかい材料で構成することにより、第二層は、主に足裏への衝撃を吸収するクッション効果を奏し、また快適な履き心地を実現する一方で、第一層は、足の安定性、特に踵の横ぶれを防止し、かつインソール全体の保型性を高める効果を奏する。
【００３４】
「第一層は、足裏の周縁部に対応する外縁部全周が足裏の央部に対応する足受部より高く構成されている」とは、足裏の周縁部に対応する第一層の外縁部全周が、足裏の央部に対応する足受部より高い位置にくるように構成されていることをいう。
【００３５】
なお、上記でいうところの「相対的に硬い」、「相対的に柔らかい」の意味は、各層の硬度の平均値を比較した場合のものも含む趣旨である。なぜなら、各層の硬度を均一とするのでなく、場所に応じて硬さを分布させる場合があるからである。つまり、第一層が全体的に見れば相対的に硬く、第二層は全体的に見れば相対的に柔らかい場合でも、第一層の最も柔らかい部分が第二層の最も硬い部分の硬度よりも硬くない場合があるからである。これはインソールの足に対する硬さを部分部分で最適化しようとする場合に生じることがある。そこで、そのような場合には上記のように平均値で比較をすることとする。平均値で比較しても本件発明の趣旨を損なうことはない。例えばいわゆる踏みつけ部分は全体の層の厚みを薄く設計し、一方第二層の硬度をその薄く設計されている部分のみ相対的に同じ層の平均的な硬さよりも硬くする設計とする場合がある。第二層のこの部分は第一層の最も柔らかい部分、例えば設計によってはいわゆる「踏まず部分」を柔らかくする場合があるが、その「踏まず部分」よりも相対的に硬度が硬くなる場合がある。
【００３６】
「足裏の周縁部」とは、足のつま先から踵まで、足の小指から親指までの足裏全体の外周縁部のことをいう。また、「周縁部に対応する」部分とは、この「外周縁部に沿った」部分をいう。つまり、「足裏の周縁部に対応する外縁部全周」とは、外周縁部に沿った部分の全体をいう。
【００３７】
また、「足裏の央部」とは、「足裏の周縁部」のその内側の部分のことで、特にその中心周辺をいう。つまり、「足裏の央部に対応する足受部」とは、足裏の周縁部のその内側であって中央寄りのインソールの部分のことである。「足裏の央部に対応する足受部」は足裏が直接に接するインソールの領域であるともいえる。ただし、土ふまずに対応する領域などもこの足受部に含まれる。
【００３８】
例えば、図１（ａ）において、第一層（０１０１ａ）の外縁部全周（０１０３ａ）が、足受部（０１０４ａ）より高い位置にくるように構成されている。同様に、図１（ｂ）、（ｃ）において、それぞれ第一層（０１０１ｂ、０１０１ｃ）の外縁部全周（０１０３ｂ、０１０３ｃ）が、足受部（０１０４ｂ、０１０４ｃ）より高い位置になるように構成されている。
【００３９】
足裏の周縁部に対応する外縁部全周が足裏の央部に対応する足受部より高くなるように第一層の構成がされることにより、相対的に柔らかい材料で構成される第二層を下からだけでなく側面全体からも包み込むような構造となり、踵の横ぶれなどを防止し、歩行安定性を増すことが可能となる。
【００４０】
また、「第一層」（０１０１ａ、０１０１ｂ、０１０１ｃ）に利用する相対的に硬い材料と、「第二層」（０１０２ａ、０１０２ｂ、０１０２ｃ）に利用する相対的に柔らかい材料との組み合わせは、コルクゴムと発泡ゴムの組合せ、ウレタン樹脂とウレタン樹脂の組合せのいずれかで構成することもできる。
【００４１】
「コルクゴム」とは、コルク粒子をゴム中に分散させたものをいう。たとえば発泡ゴムが適している。なぜなら、軽く、かつ適度な硬度を有するからである。ここで、ゴム発泡体は、一般にゴムと言われているものに限定されるものでなく、ゴムとは一般に呼ばれないがコルクの結合剤として働く接着剤のようなものも含む。
【００４２】
コルクのみではその構造上、耐久性、保型性などに問題があるが、コルクゴムを用いることにより、耐久性、保型性などを良くすることができる。さらにコルクゴムを利用すると歩いたときの感触を素足感覚にできる。
【００４３】
また、コルクの配合率を調整することにより、コルクゴムで構成される第一層の重さ、硬度、耐久性、保型性、歩いたときの感触の伝達度合いなどを適宜決定することができる。ゴム発泡体が通常言われているゴムを利用する場合には、好ましくはコルク配合率が重量比で２０％から４０％程度である。これより小さいと発泡ゴム材料の重量が優先的となり、その発泡ゴムがコルクより重い材料であるなら重くなりすぎたり、そのゴムの硬度に近づき硬くなりすぎたりする。これより大きいと、コルクの性質が顕著に現れ、材料として脆弱となり、裂けたり、破損したりしやすくなる。かかるコルクゴムは、適度な硬度、耐久性、保型性、歩いたときの感触の度合いなどをバランス良く発揮する。他の場合として前述の接着剤のようなものを利用する場合にはコルク配合率が重量比で５０％から９０％程度である。これより小さいと、接着剤の性質が顕著に現れ場合により硬くなりすぎたりする。また、これより大きいと、コルクの性質が顕著に現れ材料として脆弱となり、裂けたり、破損したりしやすくなる。または、コルクどうしの結合が脆弱となり、同様の結果となる。
【００４４】
なお、加硫成型時に、コルクゴムの片面又は両面にガーゼ状の布など（代表例としては綿製のガーゼ）を積層し、一体化し、これを第一層としてもよい。コルクゴムとガーゼ状の布などとの一体化は、例えばコルクゴムの加硫成型時に、片面又は両面にガーゼ状の布を配置し、これを加熱圧縮してコルクゴムとガーゼ状の布を一体化する。このようにガーゼ状の布を一体化したコルクゴムは、より耐久性が増し破損しにくくなる。
【００４５】
第二層に使われている発泡ゴムについて説明する。ここで「発泡ゴム」とは、一般に発泡性を有するゴムをいう。第二層で使われる発泡ゴムとして、好ましくはＳＢＲ（スチレン・ブタジエン・ラバー）である。軽量で優れた弾力性を持ち、適度な硬度で長時間の使用にも変形することなく、快適な履き心地を実現する。特に、その弾力性のため、地面からの衝撃を吸収する機能を有する。
<実施形態１：効果>
【００４６】
本実施形態のインソールによれば、踵の横ぶれなどを防止し、歩行安定性を増すことが可能となる。
<<実施形態２>>
<実施形態２：概要>
【００４７】
本実施形態は、上記実施形態１において第一層が、足裏の央部に対応する足受部の全部または一部が開口となっているインソールについて説明する。
【００４８】
また、第二層が、前記外縁部から前記足受部にかけて足に対する衝撃を緩和するように徐々に厚みが厚くなるように構成されているインソールについて説明する。
【００４９】
また、第二層が、足裏のアーチ形状に対応してアーチ凸部を構成するために相対的にその周辺部よりも厚く構成されているインソールについて説明する。
<実施形態２：構成>
【００５０】
「第一層の足受部の全部が開口になっている」とは、インソールの足受部分に第一層がなく、第二層のみから構成されていることをいう。また、「第一層の足受部の一部が開口になっている」とは、インソールの足受部分の一部に第一層がなく、当該一部は第二層のみから構成されていることをいう。
【００５１】
図２に踵側から見た右足用インソールの横断面図の一例を示す。（ａ）は、第一層の足受部（０２０１ａ）の全部が開口になっているインソールを示す。外縁部（０２０２ａ、０２０３ａ）は第一層と第二層が層構造をなしているが（上下にほとんど重ならないような構造も層構造と称する。）、足受部（０２０１ａ）の全体は第二層のみからなる。第一層が比較的硬度のあるコルクゴムを材料とする場合は、足受部が第一層より相対的に柔らかい第二層のみで構成されていても、踵の横ぶれ防止や、インソールの形状保持機能を発揮する。また、（ｂ）乃至（ｄ）は、第一層の足受部（０２０１ｂ、０２０１ｃ、０２０１ｄ）の一部が開口になっているインソールを示す。外縁部（０２０２ｂ、０２０３ｂ、０２０２ｃ、０２０３ｃ、０２０２ｄ、０２０３ｄ）と、足受部の一部が第一層、第二層により層構造をなしている。第二層が比較的柔らかい発泡ゴムを材料とする場合は、第一層外縁を厚くして踵の横ぶれを防止し、インソールの形状を保持する。
【００５２】
なお、（ｄ）のように第一層と第二層の厚さ、及び断面形状が左右非対称となっていてもよい。（ｄ）は、足の外側に対応する部分（図中右側）より足の内側に対応する部分（図中左側）の方を厚く構成している。
【００５３】
また、足の外側に対応する部分（図中右側）は第一層の厚さが第二層より厚く、内側に対応する部分（図中左側）では第一層と第二層の厚さはほぼ同じ、ないしは、第一層のほうが厚めに構成されている。これは、後述するとおり、内側縦アーチ形状を保持し、縦アーチ高さの個人差を吸収する目的で比較的柔らかい第二層の厚さを外側第二層に比べて増している。
【００５４】
また足の部分によっては、これら（ａ）から（ｄ）を組み合わせてインソールを構成してもよい。さらに、足の内側に対応する部分と外側に対応する部分との間に第一層をはしご状、碁盤目状に構成して重量を減らしつつインソールが扁平につぶれるような変形を防ぐ構成としてもよい。かかる場合、軽量かつ横ぶれを適度に防止する構成とすることが可能となる。
【００５５】
また上記図２（ｄ）とは逆に図３に示すように足の外側に対応する部分（０３０１、０３０４）を足の内側に対応する部分（０３０２、０３０３）より厚く構成してもよい。O脚の悩みあるいは変形性膝関節症を抱えた脚の場合、膝関節や踵の外側に異常な負荷がかかる。そのような場合に、図３に示すようなインソールを使用することより、膝関節のアライメントを内側に誘導させ、膝関節の負荷を軽減する。ここで、踵の外側は、踵の内側と比較して歩行時の負荷が大きいため、クッション機能を有する第二層（０３０５）を厚くし、更には膝関節のアライメントを内側に誘導するために第一層（０３０６）も厚く構成する。これにより、O脚の悩みあるいは変形性膝関節症を抱えた脚への負荷を軽減することを可能とする。
【００５６】
なお、これらインソールの第一層の開口の有無や開口の程度、第一層と第二層の厚さ、及び形状については、一のインソールのうち、その各部分、例えばつま先部分、土踏まず部分、踵部分、などでそれぞれ異なるように構成されているのが好ましい。前述したとおり、足裏の凹凸形状や、地面から受ける衝撃の大小、体重による負荷分布、疲労の程度などは足裏の各部分で異なるからである。例えば、踵部分については、内側と外側で偏りなく非常に大きい衝撃を受けるため、一般的には第一層と第二層共に中央部は同程度に厚くする構成が好ましい。しかし具体的には例えば履物を使用する人の予想される体重に応じて設計することが考えられる。体重が重いほどクッション層（第二層）の厚さの割合を増やすことが考えられる。また、履物を利用する目的に応じて設計することも考えられる。たとえば、運動を目的とした履物であれば衝撃が大きくなるので第一層と第二層の比は、１：１から１：２の範囲にするとよい。たとえば、衝撃が大きくなるような運動用では、運動の種類、これに伴う衝撃の大きさにあわせて第二層の厚さを前記の範囲で調整するとよい。また、運動量が少なくすむような使用用途の場合にはその比は、２：１から１：１程度にし、少ない運動量にあわせ第二層の厚さを調整すると心地よく歩行できる。
【００５７】
さらにほかの設計要因として、インソールを装着する履物の使用の時間の長さ、例えば長時間の立ち仕事用なのか、短時間だけ使用するスリッパのようなものなのかに応じてこれらの割合を設計できる。長時間の立ち仕事用の場合、足裏やインソールが受ける衝撃は大きくないことが予想されるため、インソール全面をクッション性の良い第二層を相対的に薄くし、第一層は相対的に厚く構成するのが好ましい。またインソールを装着する履物の使用者年齢に応じて設計することもできる。例えばお年寄り用なのか、子供用なのかなどに合わせて適宜決定すればよい。お年寄りは体のバランスをとることが困難な場合があるのでできるだけしっかりした歩行を補助するために第一層を相対的に厚くし、第二層を相対的に薄くすることが考えられる。
【００５８】
また、図４に第二層が、前記外縁部から前記足受部にかけて足に対する衝撃を緩和するように徐々に厚みが厚くなるように構成されているインソールの一例を示す。第二層の厚さのみを見た場合、外縁部から足受部にかけて（０４０１ａから０４０３ａにかけて）その厚みが厚くなっている。これは、外縁部よりも足受部の方が地面から受ける衝撃が大きいため、その分衝撃緩和のためのクッションの役割を果たす第二層を厚くしたためである。また横ぶれを防止し、形状を保持する役割を果たす第一層の外縁部は足受部より外縁部を厚くした方が有効だからである。なお、（ｂ）に示すように、外縁部から足受部にかけてその途中から第二層が構成されていてもよい。また、（ｃ）に踵の横ぶれ防止や、インソールの形状保持機能に十分な硬度の第一層が開口している場合の一例を示す。また、外縁部から前記足受部にかけて徐々に厚みが厚くなるように構成されていれば、図２（ｄ）のように左右非対称でもよい。
【００５９】
また、第二層のアーチ対応部分は、足裏のアーチ形状に対応してアーチ凸部を構成するために相対的にその周辺部よりも厚く構成されていてもよい。ここで「足裏のアーチ」とは横アーチ、内側縦アーチ、外側縦アーチの３つのアーチのことをいう。図５に右足のアーチの概念図を示す。（ａ）は足の甲から見た場合の概念図であり、（ｂ）は足の内側から見た側面図である。「横アーチ」とは、足骨の第一中足骨頭（０５０１）から第五中足骨頭（０５０２）を結ぶアーチのことである。第二層の横アーチ対応部分は、このアーチ形状に対応して横アーチから少しかかと寄りの骨の細身の部分（骨幹部）に設けられる。「内側縦アーチ」とは、第一中足骨頭（０５０１）と踵骨（０５０３）を結ぶアーチのことである。第二層の内側縦アーチ対応部分は、このアーチ形状に対応して、踵から第一中足骨頭までの間の対応する部分に設けられる。「外側縦アーチ」とは、第五中足骨頭（０５０２）と踵骨（０５０３）を結ぶアーチのことである。第二層の外側縦アーチ対応部分は、このアーチ形状に対応して、踵から第五中足骨底までの間の対応する部分に設けられる。
【００６０】
つまり、「足裏のアーチ形状に対応してアーチ凸部を構成するために相対的にその周辺部よりも厚く構成する」とは、前記３つのアーチで囲まれる部分はその周辺より盛り上がるように第二層を厚く構成することをいう。より具体的には、以下３つのアーチ形状に対応した凸形状を互いに滑らかな曲線で繋げたものである。なお、図６に足裏から見た右足骨格図を示す。
【００６１】
横アーチ（０６０１）に対応する凸形状は、幅が第二中足骨（０６０５）から第四中足骨（０６０７）程度で、長さが第二中足骨（０６０５）・第三中足骨（０６０６）程度に対応した、滑らかな曲面でつながったしずく型凸形状（０６１６）である。より具体的には、幅が２５〜４５ｍｍ、長さが４５〜６５ｍｍ、高さが６〜１４ｍｍである。
【００６２】
内側縦アーチ（０６０２）に対応する凸形状は、幅が第一楔状骨（０６０９）の内側から第三楔状骨（０６１１）の外側程度で、長さが第一中足骨頭（０６１５）付近から踵骨（０６１３）の踵骨載距突起（０６１４）付近までに対応した、滑らかな曲面でつながった木の葉型凸形状（０６１７）である。より具体的には、幅が１０〜４０ｍｍ、長さが８５〜１１５ｍｍ、高さが１０〜１６ｍｍである。
【００６３】
外側縦アーチ（０６０３）に対応する凸形状は、幅が第五中足骨底（０６１２）の外側から第五中足骨底（０６１２）の内側程度で、長さが第五中足骨底（０６１２）から踵骨（０６１３）の中央付近までに対応した、滑らかな曲面でつながった木の葉型凸形状（０６１８）である。より具体的には、幅が５〜２５ｍｍ、長さが７５〜９５ｍｍ、高さが９〜１３ｍｍである。
【００６４】
なお、第二層は、前述足裏の３つのアーチ（０６０１、０６０２、０６０３）のうちいずれか１つ又は２つのアーチ形状に対応してアーチ凸部を構成するために相対的にその周辺部よりも厚く構成されていてもよい。
<実施形態２：効果>
【００６５】
本実施形態のインソールによれば、第一層と第二層の厚さや、インソール全体の立体凸形状を、対応する足裏の各部分に合わせてそれぞれ調節することにより、地面から受ける衝撃を適切に緩和し、また横ぶれを防止し、かつインソールの形状を保持できる。
<<実施形態３>>
<実施形態３：概要>
【００６６】
本実施形態は、前記実施形態１又は２のインソールにおいて、第二層の上層として更に通気性のあるスポンジを材料とした第三層を有するインソールについて説明する。
<実施形態３：構成>
【００６７】
図７に本実施形態の概念図を示す。第一層（０７０１ａ、０７０１ｂ、０７０１ｃ）の上層である第二層（０７０２ａ、０７０２ｂ、０７０２ｃ）の更に上層に第三層（０７０３ａ、０７０３ｂ、０７０３ｃ）を有する。
【００６８】
「第三層」は通気性のあるスポンジ材料で構成される。ここで、「スポンジ材料」とは、海綿や多孔質構造体からなり、通気性を有するものであれば特に限定しない。当該通気性を有するスポンジ層があることにより、本実施形態のインソールは接足面の通気をよくし、蒸れを防止して快適な履き心地を実現する。
【００６９】
また、本実施形態のインソールは図８に示すように、第一層（０８０１ａ、０８０１ｂ、０８０１ｃ）、第二層（０８０２ａ、０８０２ｂ、０８０２ｃ）、第三層（０８０３ａ、０８０３ｂ、０８０３ｃ）の更に上層に通気性のある素材からなる最上位層（０８０４ａ、０８０４ｂ、０８０４ｃ）を有していてもよい。「最上位層」（０８０４ａ、０８０４ｂ、０８０４ｃ）とは、当該インソールを履物に装着した際、最も上面に位置する層のことであり、足裏と直接的又は間接的に接することを想定した層である。「間接的に接する」とは、例えば使用者が靴下等を履いている場合に、靴下を介して最上位層と足裏が接することをいう。「最上位層」は通気性のある素材であれば特に限定しないが、吸放湿性を有する敷布などが、蒸れを防止し快適な履き心地を実現するためにはより好ましい。
【００７０】
なお、図９に示すように最上位層（０９０４ａ、０９０４ｂ、０９０４ｃ）が、第一層（０９０１ａ（図示せず）、０９０１ｂ、０９０１ｃ）、第二層（０９０２ａ（図示せず）、０９０２ｂ、０９０２ｃ）、第三層（０９０３ａ（図示せず）、０９０３ｂ、０９０３ｃ）の側面全体を覆うように構成されていてもよい。サンダルのような踵部分を覆うものがなく、足先のみを覆う形状の履物に当該インソールを使用する場合に、層構造が見えず履物の美観を損なわない点で好ましい。
【００７１】
なお、最上位層はインソールの通気性を損なわない方法で他の層と接着されている。例えば網目状の接着シート（広く網目に似ている構造であればこれに含まれる。たとえば和紙の繊維構造に似たものなど各種のものを含む。）を最上位層とそのすぐ下の層との間に配置し、接着する。これにより、インソールの最上位層の有する通気性と、例えば上記第三層（スポンジの層）の通気性を損なわず、快適な履き心地を実現する。上記網目状の接着シートは、加熱、加圧などにより接着機能が実現するものであってもよい。この網目状の接着シートは、他の層どうしを接着するのに用いてもよい。また、接着する層の材質や、接着する層の相性に応じて適切な接着剤を選択するとよい。
<実施形態３：効果>
【００７２】
本実施形態のインソールによれば、接足面の通気をよくし、蒸れを防止して快適な履き心地を実現する。また、履物を履いていないときには湿気が蒸発しやすい。更に履物の美観を損なわない。
【実施例１】
【００７３】
本発明の実施例として、下記表１で構成されるインソールを示す。
【表１】
2014028323.tif 000003
【００７４】
また、ウレタンを成分とするインソールとして、下記表２で構成されるインソールを示す。
【表２】
2014028323.tif 000004
【００７５】
ウレタンは、第一層、第二層ともに発泡品（ウレタンフォーム）である。ポリエーテル系半硬質ウレタンは、半硬質タイプで相対的に低密度であり、ポリエーテル系高弾性ウレタンは、軟質タイプで相対的に高密度である。
【００７６】
硬度は、ＪＩＳＫ６２５３に準拠した方法で測定した。第一層は、その硬度が表１及び表２に示す硬度範囲より小さいと柔らかすぎ、歩行安定性や保型性に欠ける。逆に表１及び表２の硬度範囲より大きいと硬すぎ、クッション性に欠ける。また、第二層は、その硬度が表１及び表２に示す硬度範囲より小さいと歩行安定性や保型性に欠ける。逆に表１及び表２の硬度範囲より大きいと硬すぎ、クッション性に欠ける。
【００７７】
なお、表２で構成されるインソールでは、製造時に、同一又は近い材料からなる複数の層を組み合わせ、この材料を圧縮することで、部分的に硬度の異なる一層を構成することができる。
【００７８】
このように、製造時において複数の層が組み合わされる場合があっても、材質が同じ又は近ければ、一層を構成するものである。
【００７９】
次に、図１０に上記表１に示す第一層と第二層に、ウレタンフォームを圧縮し高密度化した１ｍｍの厚さが均一な第三層と、敷布からなる厚さが均一な最上位層で構成された右足用のインソールを約１ｃｍ間隔で切断した場合の踵側から見た横断面図を示す。図中、「１」はつま先側の端部（断面図）であり、「２４」はかかと側の端部である。また、図中「１」は最上位層が厚く構成されているようにも見えるが、これは断面の奥の最上位層が見えているためであり、最上位層の厚さはインソール全体において均一である。
【００８０】
図１０において、図中「９」から「１２」にかけて、「１０」を頂点とし、第二層の央部が凸形状に構成されている。これは、足裏のアーチに対応してアーチ凸部を構成するために相対的にその周辺部より厚く構成されているためである。また、図中「１１」から「１９」にかけて第二層の内側が第二層の外側より厚く構成されている。
【００８１】
また、図１０のインソールを装着した履物を履いた場合の歩行時の体重の平均荷重分布を図１１に示す（図１１をカラーで示したものを本件出願の物件提出書で提出している：図中に太線で示される足型が実際に足を置いた測定領域）。図１１は、足圧分布測定装置（Ｆ−スキャン；ニッタ株式会社製）を用いて測定した結果である。（b）は足裏のアーチに対応してアーチ凸部を構成しているインソールを使用した場合の平均荷重分布を示し、（a）はアーチ凸部を構成していない平らなインソールを使用した場合の平均荷重分布を示す。（b）において、つま先部分（前足部：つま先側から足長で３分の１までの領域）の荷重平均は体重の４１％、土踏まず部分（中足部：前足部からさらに足長で３分の１までの領域）の荷重平均は体重の２９％、踵部分（中足部からさらに足長でのこり３分の１の部分）の荷重平均は体重の３０％であった。（a）は、つま先部分の荷重平均は体重の５４％、土踏まず部分の荷重平均は体重の１７％、踵部分の荷重平均は体重の２９％であった。これにより、（b）は、歩行時に平均して体重がかかる部分が足裏全体に分布しているのに対して、（a）はつま先部分に集中している。従って、（b）のアーチ凸部を構成するインソールは、局所的に荷重分布することを防止でき、より疲労を軽減することができる。
【図１】
2014028323.tif 000005
【図２】
2014028323.tif 000006
【図３】
2014028323.tif 000007
【図４】
2014028323.tif 000008
【図５】
2014028323.tif 000009
【図６】
2014028323.tif 000010
【図７】
2014028323.tif 000011
【図８】
2014028323.tif 000012
【図９】
2014028323.tif 000013
【図１０】
2014028323.tif 000014
【図１１】
2014028323.tif 000015
【図１２】
2014028323.tif 000016
【図１３】
2014028323.tif 000017